(57)【特許請求の範囲】
【請求項１】
外槽と、前記外槽内に回転自在に設けた洗濯兼脱水槽と、前記洗濯兼脱水槽の内底部に回転自在に配設した撹拌翼と、前記外槽の上部に設けたカバー体と、前記洗濯兼脱水槽および撹拌翼を回転駆動するモータと、前記洗濯兼脱水槽内に給水する給水弁と、前記モータおよび給水弁などの動作を制御し、洗濯、すすぎ、脱水などの一連の行程を逐次制御する制御手段とを備え、前記カバー体には、前記洗濯兼脱水槽内方向に開口した泡吐出部を設け、前記外槽には一部を仕切って前記外槽の内底部と前記泡吐出部とを連通する縦方向に長い通路を設け、前記通路の底部にて泡を発生させる洗濯機。
【請求項２】
ポンプと、前記ポンプと連通し通路の底部に配設した発泡体とを備え、制御手段は、給水弁による給水にて洗濯兼脱水槽内の水位が所定水位に達した後、モータを制御して前記洗濯兼脱水槽を回転させながら、前記ポンプを制御して前記発泡体に空気を送り込むことにより泡吐出部から洗剤泡を前記洗濯兼脱水槽内に供給する請求項１記載の洗濯機。
【請求項３】
ポンプと、前記ポンプと連通し通路の底部に配設した発泡体とを備え、制御手段は、給水弁による給水にて洗濯兼脱水槽内の水位が所定水位に達した後、モータを制御して撹拌翼を回転させながら、前記ポンプを制御して前記発泡体に空気を送り込むことにより泡吐出部から洗剤泡を前記洗濯兼脱水槽内に供給する請求項１記載の洗濯機。
【請求項４】
制御手段は、給水弁による給水にて洗濯兼脱水槽内の水位が所定水位に達するまでの間、モータを制御して前記洗濯兼脱水槽を回転させる請求項１〜３のいずれか１項に記載の洗濯機。
【発明の詳細な説明】
【０００１】
【発明の属する技術分野】
本発明は、洗剤泡の作用によって汚れの除去を効率的に行う洗濯機およびその洗濯方法に関する。
【０００２】
【従来の技術】
従来、代表的な洗濯機は、パルセーターと呼ばれる撹拌翼を回転させて洗濯するものであり、この種の洗濯機の構成を図９を参照しながら説明する。
【０００３】
図９に示すように、外槽１は、底部に撹拌翼２を回転自在に配設した洗濯兼脱水槽３を内包し、吊り棒４により洗濯機外枠５に吊り下げている。モータ６は、Ｖベルト７および減速機構兼クラッチ８を介して、撹拌翼２または洗濯兼脱水槽３を駆動する。排水弁９は洗濯兼脱水槽３内の洗濯水を排水し、給水弁１０は洗濯兼脱水槽３内に給水するものである。
【０００４】
洗濯兼脱水槽３には脱水時の振動を低減させるための流体バランサー１１を設け、洗濯兼脱水槽３の上部には蓋１２を配設している。制御装置１３は、モータ６、排水弁９、給水弁１０などを制御して、洗濯、すすぎ、脱水の各行程を逐次制御するものである。
【０００５】
上記構成において動作を説明すると、洗濯兼脱水槽３に洗濯物と所定量の洗剤を投入した後、運転を開始すると制御装置１３により給水弁１０を制御して洗濯兼脱水槽３内に所定量の水を給水し、その後制御装置１３により、モータ６を制御して撹拌翼２を駆動する。撹拌翼２の回転によって洗濯兼脱水槽３内の洗濯物と水とを撹拌し、この撹拌によって洗剤を徐々に溶解して洗濯水となり、洗濯物の汚れに作用することとなる。
【０００６】
【発明が解決しようとする課題】
しかしながら、この構成の洗濯機の場合、撹拌翼２の回転によって洗濯兼脱水槽３内の洗濯物を撹拌するといった機械力のみによって洗浄力を確保しているため、洗濯兼脱水槽３の底部にある洗濯物には機械力が伝わりやすいため、高い洗浄力が得られるが、逆に洗濯兼脱水槽３の上部にある洗濯物には機械力が伝わりにくいため、洗浄力が得られず、洗いむらが大きくなるといった問題を有していた。
【０００７】
本発明は上記課題を解決するもので、溶解した洗濯水を洗剤泡にして洗濯兼脱水槽内の洗濯物に上方からかけることで、洗浄力を確保し、洗いむらを低減することを目的としている。
【０００８】
【課題を解決するための手段】
上記目的を達成するために本発明の洗濯機は、外槽と、前記外槽内に回転自在に設けた洗濯兼脱水槽と、前記洗濯兼脱水槽の内底部に回転自在に配設した撹拌翼と、前記外槽の上部に設けたカバー体と、前記洗濯兼脱水槽および撹拌翼を回転駆動するモータと、前記洗濯兼脱水槽内に給水する給水弁と、前記モータおよび給水弁などの動作を制御し、洗濯、すすぎ、脱水などの一連の行程を逐次制御する制御手段とを備え、前記カバー体には、前記洗濯兼脱水槽内方向に開口した泡吐出部を設け、前記外槽には一部を仕切って前記外槽の内底部と前記泡吐出部とを連通する縦方向に長い通路を設け、前記通路の底部にて泡を発生させるものである。
【０００９】
これにより、溶解した洗濯水を洗剤泡にして洗濯兼脱水槽内の洗濯物に上方からかけることで、洗浄力を確保できて、洗いむらを低減することができる。
【００１０】
【発明の実施の形態】
本発明の請求項１に記載の発明の洗濯機は、外槽と、前記外槽内に回転自在に設けた洗濯兼脱水槽と、前記洗濯兼脱水槽の内底部に回転自在に配設した撹拌翼と、前記外槽の上部に設けたカバー体と、前記洗濯兼脱水槽および撹拌翼を回転駆動するモータと、前記洗濯兼脱水槽内に給水する給水弁と、前記モータおよび給水弁などの動作を制御し、洗濯、すすぎ、脱水などの一連の行程を逐次制御する制御手段とを備え、前記カバー体には、前記洗濯兼脱水槽内方向に開口した泡吐出部を設け、前記外槽には一部を仕切って前記外槽の内底部と前記泡吐出部とを連通する縦方向に長い通路を設け、前記通路の底部にて泡を発生させるものであり、洗濯液を洗剤泡にすることにより、洗浄力を高めることができ、また、洗濯液を洗剤泡にすることにより、体積が増えるため、少ない洗濯液で洗濯兼脱水槽内の洗濯物に洗剤成分を汚れに作用させることができるとともに、上から洗剤泡をかけることにより、洗濯兼脱水槽の上にある洗濯物の汚れに作用させることができるため、洗いむらを低減することができる。
【００１１】
請求項２に記載の発明の洗濯機は、上記請求項１に記載の発明の洗濯機において、ポンプと、前記ポンプと連通し通路の底部に配設した発泡体とを備え、制御手段は、給水弁による給水にて洗濯兼脱水槽内の水位が所定水位に達した後、モータを制御して前記洗濯兼脱水槽を回転させながら、前記ポンプを制御して前記発泡体に空気を送り込むことにより泡吐出部から洗剤泡を前記洗濯兼脱水槽内に供給するものであり、洗濯兼脱水槽の上にある洗濯物の汚れにまんべんなく作用させることができるため、洗いむらを低減することができる。
【００１２】
請求項３に記載の発明の洗濯機は、上記請求項１に記載の発明の洗濯機において、ポンプと、前記ポンプと連通し通路の底部に配設した発泡体とを備え、制御手段は、給水弁による給水にて洗濯兼脱水槽内の水位が所定水位に達した後、モータを制御して撹拌翼を回転させながら、前記ポンプを制御して前記発泡体に空気を送り込むことにより泡吐出部から洗剤泡を前記洗濯兼脱水槽内に供給するものであり、洗濯兼脱水槽内にある洗濯物の位置を変えることにより、洗濯兼脱水槽内にある洗濯物の汚れにまんべんなく作用させることができるため、洗いむらを低減することができる。
【００１３】
請求項４に記載の発明の洗濯機は、上記請求項１〜３のいずれか１項に記載の発明の洗濯機において、制御手段は、給水弁による給水にて洗濯兼脱水槽内の水位が所定水位に達するまでの間、モータを制御して前記洗濯兼脱水槽を回転させるものであり、洗濯兼脱水槽の回転によって生じる撹拌力によって、投入された洗剤を溶解することができる。
【００１４】
【実施例】
以下、本発明の実施例について、図面を参照しながら説明する。
【００１５】
（実施例１）
図１に示すように、外槽１４は、回転自在に配設した洗濯兼脱水槽１５を内包し、吊り棒１６により洗濯機外枠１７に吊り下げている。モータ１８は、Ｖベルト１９および減速機構２０を介して洗濯兼脱水槽１５および洗濯兼脱水槽１５の内底部に回転自在に配設した撹拌翼２１を回転駆動する。
【００１６】
カバー体２２は、外槽１４の上部に設け、泡吐出部２３を形成するものであり、泡吐出部２３は、洗濯兼脱水槽１５内方向に開口している。外槽１４の一部を仕切って縦方向に長い通路２４を形成し、この通路２４の底部を外槽１４の内底部と連通させ、通路２４の上部は、カバー体２２に形成した泡吐出部２３に連通している。通路２４の底部に発泡体２５を設け、この発泡体２５は、ホース２６でポンプ２７と連通している。
【００１７】
給水弁２８は、洗濯兼脱水槽１５内に水を給水するものであり、排水弁２９は外槽１４内の洗濯水を排水するものである。
【００１８】
制御装置３０は、図２に示すように構成しており、制御手段３１は、マイクロコンピュータで構成し、パワースイッチング手段３２を介してモータ１８、ポンプ２７、給水弁２８、排水弁２９などの動作を制御し、洗濯、すすぎ、脱水などの一連の行程を逐次制御する。入力設定手段３３は、運転コース等を設定するもので、制御手段３１は入力設定手段３３からの情報を入力して、その情報を基に表示手段３４で表示して使用者に知らせる。記憶手段３５は、制御手段３１により制御するのに必要なデータを記憶している。なお、３６は商用電源、３７は電源スイッチである。
【００１９】
上記構成において動作を説明すると、洗濯兼脱水槽１５内に洗濯物と洗剤を投入した後、運転を開始すると、制御手段３１は、給水弁２８を作動させて給水を開始し、同時に、洗濯兼脱水槽１５が回転を始める。洗濯兼脱水槽１５内の水位が設定水位に達するまでの間、洗濯兼脱水槽１５は回転する。このように洗濯兼脱水槽１５を回転しながら給水を行った場合、洗濯兼脱水槽１５の回転によって生じる撹拌力によって、投入された洗剤が溶解する。
【００２０】
設定水位に達した時点で給水弁２８の動作を停止し、制御手段３１によってポンプ２７が作動して、通路２４の底部に設けた洗濯水中の発泡体２５にホース２６を通して空気が送られる。この結果、図１に示すように、発泡体２５に送られた空気は、発泡体２５から出るときに気泡となって上昇し、洗濯水面に達して洗剤泡が発生する。洗剤泡は通路２４を通って上昇し、カバー体２２の泡吐出部２３から洗濯兼脱水槽１５内の洗濯物にかけられる。
【００２１】
ここで、洗剤泡について詳述する。一般に、洗剤分子Ａをモデル的に表わすと、図３に示すように、親水基ａと親油基ｂとからなる。そこで、洗剤を水に溶かした状態を表わすと、図４に示すように、界面（水面）に洗剤分子Ａが整列し、並びきれない洗剤分子は水中に個々またはミセル（集団）とした存在する。そして、界面の洗剤分子が取り除かれると、直ちに水中の洗剤分子が界面に移動し補充する働きがある。
【００２２】
したがって、例えば、図５に示すように、洗剤液に気泡Ｂを送り込むと、気泡Ｂは上昇して界面に達し、界面に整列した洗剤分子Ａをそのまま泡の膜に保持した形の泡Ｃが発生する。すなわち、洗剤分子Ａをできるだけ並べた泡Ｃとなり、洗剤濃度は高濃度である。このとき、泡として持ち去られた洗剤分子の補充には、液中の洗剤分子が移動することになり、気泡Ｂを次々送れば、泡Ｃが次々と作られることになる。このとき、この泡の膜内外に当然のことながら親油基ｂを向けている。
【００２３】
このようにして作られた泡Ｃを汚れた衣類の表面あるいは衣類を通過させることによって、前記親油基ｂに油および油に付着した粒子汚れを結合して持ち去ることになる。また、泡Ｃが衣類通過中に破泡すると衣類に高濃度の洗剤液がしみ込むことになり、これによっても汚れが落ちやすい状態となる。このようにして衣類の洗浄が可能となる。
【００２４】
このことにより、洗濯液を泡にすることで、泡を汚れた洗濯物の表面あるいは洗濯物を通過させることによって、油および油に付着した粒子汚れを結合して持ち去ることや、泡が洗濯物通過中に破泡すると洗濯物に高濃度の洗剤液がしみ込むことが可能となり、洗浄力を高めることができる。また、洗濯液を泡にすることにより、体積が増えるため、少ない洗濯液で洗濯物の汚れに洗剤成分を作用させることができるとともに、洗剤泡を上方よりかけることにより、洗濯兼脱水槽１５の上にある機械力が伝わりにくい洗濯物の汚れに作用させることができるため、洗いむらを低減することができる。
【００２５】
（実施例２）
図６に示すように、給水弁３８は、給水装置３９とともに後部に内蔵している。給水装置３９は、図７に示すように、給水弁３８より洗剤ケース４０を通して吐出口４１より洗濯兼脱水槽３内に給水するものである。洗剤ケース４０に底面より突出した投入口４２を設け、この投入口４２を間隙ａを有してキャップ４３で覆っている。洗剤ケース４０の底部に発泡体４４を設け、この発泡体４４は、ホース４５でポンプ４６と連通している。
【００２６】
制御装置４７は、図８に示すように構成しており、制御手段４８は、マイクロコンピュータで構成し、パワースイッチング手段４９を介してモータ６、排水弁９、給水弁３８、ポンプ４６などの動作を制御し、洗濯、すすぎ、脱水などの一連の行程を逐次制御する。入力設定手段５０は、運転コース等を設定するもので、制御手段４８は入力設定手段５０からの情報を入力して、その情報を基に表示手段５１で表示して使用者に知らせる。記憶手段５２は、制御手段４８により制御するのに必要なデータを記憶している。なお、５３は商用電源、５４は電源スイッチである。他の構成は従来例と同じである。
【００２７】
上記構成において動作を説明すると、洗濯兼脱水槽３内に洗濯物を投入し、洗剤ケース４０内に洗剤を投入した後、運転を開始すると、制御手段４８は、給水弁３８を作動させて所定量、給水を行う。その後、制御手段４８によってポンプ４６が作動して、ホース４５を通して洗濯水中の発泡体４４に空気が送られる。この結果、図７に示すように、発泡体４４に送られた空気は、発泡体４４から出るときに気泡となって上昇し、洗剤液面に達して洗剤泡が発生する。洗剤泡は洗剤ケース４０内から吐出口４１から洗濯兼脱水槽３内の洗濯物にかけられる。
【００２８】
一定時間、ポンプ４６を作動させた後、制御手段４８は、給水弁３８を作動させて給水を再開させ、設定水位に達した後、洗濯行程を行う。洗剤ケース４０内の水はサイフォンの原理で洗濯兼脱水槽３内に投入される。
【００２９】
このことにより、洗濯液を洗剤泡にすることで、洗剤泡を汚れた洗濯物の表面あるいは洗濯物を通過させることによって、油および油に付着した粒子汚れを結合して持ち去ることや、泡が洗濯物通過中に破泡すると洗濯物に高濃度の洗剤液がしみ込むことが可能となり、洗浄力を高めることができる。また、洗濯液を洗剤泡にすることにより、体積が増えるため、少ない洗濯液で洗濯物の汚れに洗剤成分を作用させることができるとともに、洗剤泡を上方よりかけることにより、洗濯兼脱水槽１５の上にある機械力が伝わりにくい洗濯物の汚れに作用させることができるため、洗いむらを低減することができる。
【００３０】
（実施例３）
図２に示す制御手段３１は、洗濯兼脱水槽１５を回転させながらポンプ２７を動作させ、洗濯兼脱水槽１５内の洗濯物に、上方から洗剤泡を供給するよう構成している。他の構成は上記実施例１と同じである。
【００３１】
上記構成において動作を説明すると、洗濯兼脱水槽１５内に洗濯物と洗剤を投入した後、運転を開始すると、制御手段３１は給水弁２８を作動させて給水を開始し、同時に、洗濯兼脱水槽１５が回転を始める。洗濯兼脱水槽１５内の水位が設定水位に達するまでの間、洗濯兼脱水槽１５は回転する。このように洗濯兼脱水槽１５を回転しながら給水を行った場合、洗濯兼脱水槽１５の回転によって生じる撹拌力によって、投入された洗剤が溶解する。
【００３２】
設定水位に達した時点で給水弁２８の動作を停止し、洗濯兼脱水槽１５の回転は継続する。制御手段３１によってポンプ２７が作動して、ホース２６を通して洗濯水中の発泡体２５に空気が送られる。発泡体２５に送られた空気は、発泡体２５から出るときに気泡となって上昇し、洗濯水面に達して洗剤泡が発生する。洗剤泡は通路２４を通って上昇し、カバー体２２の泡吐出部２３から洗濯兼脱水槽１５内の洗濯物にかけられる。
【００３３】
このとき、洗濯兼脱水槽１５は回転しているため、泡吐出部２３からの洗剤泡は洗濯兼脱水槽１５の上にある洗濯物の汚れにまんべんなく作用させることができ、洗いむらを低減することができる。
【００３４】
なお、本実施例では、上記実施例１の洗濯兼脱水槽１５を回転させながらポンプ２７を動作させ、洗濯兼脱水槽１５内の洗濯物に、上方から洗剤泡を供給するようにしているが、上記実施例２の洗濯兼脱水槽３を回転させながらポンプ４６を動作させ、洗濯兼脱水槽３内の洗濯物に、上方から洗剤泡を供給するようにしてもよく、同様の作用、効果を得ることができる。
【００３５】
（実施例４）
図２に示す制御手段３１は、撹拌翼２１を回転させながらポンプ２７を動作させ、洗濯兼脱水槽１５内の洗濯物に、上方から洗剤泡を供給するよう構成している。他の構成は上記実施例１と同じである。
【００３６】
上記構成において動作を説明すると、洗濯兼脱水槽１５内に洗濯物と洗剤を投入した後、運転を開始すると、制御手段３１は給水弁２８を作動させて給水を開始し、同時に、洗濯兼脱水槽１５が回転を始める。洗濯兼脱水槽１５内の水位が設定水位に達するまでの間、洗濯兼脱水槽１５は回転する。このように洗濯兼脱水槽１５を回転しながら給水を行った場合、洗濯兼脱水槽１５の回転によって生じる撹拌力によって、投入された洗剤が溶解する。
【００３７】
設定水位に達した時点で給水弁２８の動作を停止し、制御手段３１によってモータ１８が作動して撹拌翼２１が撹拌され、同時に制御手段３１によってポンプ２７が作動して、ホース２６を通して洗濯水中の発泡体２５に空気が送られる。発泡体２５に送られた空気は、発泡体２５から出るときに気泡となって上昇し、洗濯水面に達して泡が発生する。泡は通路２４を通って上昇し、カバー体２２の泡吐出部２３から洗濯兼脱水槽１５内の洗濯物にかけられる。
【００３８】
このとき、撹拌翼２１を回転させているため、洗濯兼脱水槽１５内にある洗濯物の位置は変化し、洗濯兼脱水槽１５内にある洗濯物の汚れにまんべんなく作用させることができるため、洗いむらを低減することができる。
【００３９】
なお、本実施例では、上記実施例１の撹拌翼２１を回転させながらポンプ２７を動作させ、洗濯兼脱水槽１５内の洗濯物に、上方から洗剤泡を供給するにようしているが、上記実施例２の撹拌翼２を回転させながらポンプ４６を動作させ、洗濯兼脱水槽３内の洗濯物に、上方から洗剤泡を供給するようにしてもよく、同様の作用、効果を得ることができる。
【００４０】
（実施例５）
図２に示す制御手段３１は、ポンプ２７を設定時間動作させて、洗濯兼脱水槽１５内の洗濯物が泡にまみれた状態で、撹拌翼２１を回転させて洗濯物に機械力を作用させながらポンプ２７を動作させるようにしている。他の構成は上記実施例１と同じである。
【００４１】
上記構成において動作を説明すると、洗濯兼脱水槽１５内に洗濯物と洗剤を投入した後、運転を開始すると、制御手段３１は給水弁２８を作動させて給水を開始し、同時に、洗濯兼脱水槽１５が回転を始める。洗濯兼脱水槽１５内の水位が設定水位に達するまでの間、洗濯兼脱水槽１５は回転する。このように洗濯兼脱水槽１５を回転しながら給水を行った場合、洗濯兼脱水槽１５の回転によって生じる撹拌力によって、投入された洗剤が溶解する。
【００４２】
設定水位に達した時点で給水弁２８の動作を停止し、制御手段３１によってポンプ２７が作動して、ホース２６を通して洗濯水中の発泡体２５に空気が送られる。発泡体２５に送られた空気は、発泡体２５から出るときに気泡となって上昇し、洗濯水面に達して泡が発生する。泡は通路２４を通って上昇し、カバー体２２の泡吐出部２３から洗濯兼脱水槽１５内の洗濯物にかけられる。
【００４３】
ポンプ２７は制御手段３１によって設定時間作動した後、停止する。このとき、洗濯兼脱水槽１５内の洗濯物は泡にまみれた状態となっている。その状態で、制御手段３１によってモータ１８を駆動して撹拌翼２１を駆動し、同時にポンプ２７を作動する。
【００４４】
このとき、洗濯兼脱水槽１５内の洗濯物が泡にまみれた状態で、洗濯物に機械力を作用させているため、泡を汚れた衣類に接触させることを多くすることができ、より多く油および油に付着した粒子汚れを結合して持ち去ることができ、また、より多く衣類に高濃度の洗剤液がしみ込むことが可能となり、洗浄力を高めることができる。
【００４５】
なお、本実施例では、上記実施例１のポンプ２７を設定時間動作させて、洗濯兼脱水槽１５内の洗濯物が泡にまみれた状態で、撹拌翼２１を回転させながらポンプ２７を動作させるようにしているが、上記実施例２のポンプ４６を設定時間動作させて、洗濯兼脱水槽３内の洗濯物が泡にまみれた状態で、撹拌翼２を回転させながらポンプ４６を動作させるようにしてもよく、同様の作用、効果を得ることができる。
【００４６】
【発明の効果】
以上のように本発明の請求項１に記載の発明によれば、外槽と、前記外槽内に回転自在に設けた洗濯兼脱水槽と、前記洗濯兼脱水槽の内底部に回転自在に配設した撹拌翼と、前記外槽の上部に設けたカバー体と、前記洗濯兼脱水槽および撹拌翼を回転駆動するモータと、前記洗濯兼脱水槽内に給水する給水弁と、前記モータおよび給水弁などの動作を制御し、洗濯、すすぎ、脱水などの一連の行程を逐次制御する制御手段とを備え、前記カバー体には、前記洗濯兼脱水槽内方向に開口した泡吐出部を設け、前記外槽には一部を仕切って前記外槽の内底部と前記泡吐出部とを連通する縦方向に長い通路を設け、前記通路の底部にて泡を発生させるようにしたから、洗濯液を洗剤泡にすることにより、洗浄力を高めることができ、また、洗濯液を洗剤泡にすることにより、体積が増えるため、少ない洗濯液で洗濯兼脱水槽内の洗濯物に洗剤成分を汚れに作用させることができるとともに、上から洗剤泡をかけることにより、洗濯兼脱水槽の上にある洗濯物の汚れに作用させることができるため、洗いむらを低減することができる。
【００４７】
また、請求項２に記載の発明によれば、ポンプと、前記ポンプと連通し通路の底部に配設した発泡体とを備え、制御手段は、給水弁による給水にて洗濯兼脱水槽内の水位が所定水位に達した後、モータを制御して前記洗濯兼脱水槽を回転させながら、前記ポンプを制御して前記発泡体に空気を送り込むことにより泡吐出部から洗剤泡を前記洗濯兼脱水槽内に供給するようにしたから、洗濯兼脱水槽の上にある洗濯物の汚れにまんべんなく作用させることができるため、洗いむらを低減することができる。
【００４８】
また、請求項３に記載の発明によれば、ポンプと、前記ポンプと連通し通路の底部に配設した発泡体とを備え、制御手段は、給水弁による給水にて洗濯兼脱水槽内の水位が所定水位に達した後、モータを制御して撹拌翼を回転させながら、前記ポンプを制御して前記発泡体に空気を送り込むことにより泡吐出部から洗剤泡を前記洗濯兼脱水槽内に供給するようにしたから、洗濯兼脱水槽内にある洗濯物の位置を変えることにより、洗濯兼脱水槽内にある洗濯物の汚れにまんべんなく作用させることができるため、洗いむらを低減することができる。
【００４９】
また、請求項４に記載の発明によれば、制御手段は、給水弁による給水にて洗濯兼脱水槽内の水位が所定水位に達するまでの間、モータを制御して前記洗濯兼脱水槽を回転させるようにしたから、洗濯兼脱水槽の回転によって生じる撹拌力によって、投入された洗剤を溶解することができる。
【図面の簡単な説明】
【図１】  本発明の第１の実施例の洗濯機の縦断面図
【図２】  同洗濯機のブロック回路図
【図３】  洗剤分子をモデル的に表した図
【図４】  洗剤分子を水に溶かした状態を表したモデル図
【図５】  洗剤液中に気泡を通した場合のモデル図
【図６】  本発明の第２の実施例の洗濯機の縦断面図
【図７】  同洗濯機の給水装置の縦断面図
【図８】  同洗濯機のブロック回路図
【図９】  従来の洗濯機の縦断面図
【符号の説明】
１５  洗濯兼脱水槽
【図１】
0003669326.tif 000002
【図２】
0003669326.tif 000003
【図３】
0003669326.tif 000004
【図４】
0003669326.tif 000005
【図５】
0003669326.tif 000006
【図６】
0003669326.tif 000007
【図７】
0003669326.tif 000008
【図８】
0003669326.tif 000009
【図９】
0003669326.tif 000010